(57)【要約】      （修正有）【課題】管内を有効利用でき、かつケーブルの分岐方向が制限されないようにする。【解決手段】二重管継手１０は外管継手１４および内管継手１２を備え、内管継手は外管継手の中に配置され、支持部１６により外管継手と接続され、外管継手との間に弧状のスペース３２を有する。内管継手に内管を接続し、外管継手に外管を接続すれば、二重管継手により二重管が形成される。この内管の中のスペースは内管継手の中のスペースにより連通され、内管と外管との間の環状のスペースは弧状のスペースにより連通される。このような二重管をケーブル保護管として利用する場合、内管および内管継手の中に第１ケーブルを通し、環状および弧状のスペースに第２ケーブルを通して、外管に設けた貫通孔から第２ケーブルを引き出して分岐する。【選択図】図１
2008182777.tif 000002
【特許請求の範囲】
【請求項１】
両端が受口で形成された外管継手、
前記外管継手より径小でかつ両端が受口で形成され、前記外管継手内に配置された内管継手、および
前記外管継手と前記内管継手との間にスペースが形成されるように、前記内管継手を支える支持部を備える、二重管継手。
【請求項２】
前記スペースを、前記外管継手の中心の高さ以上で前記外管継手の頂点部を挟むスペースを含むように周方向に連続させた、請求項１記載の二重管継手。
【請求項３】
請求項１または２の二重管継手、
前記外管継手の受口に接続される外管、
前記内管継手の受口に接続される内管、
前記外管の管壁に設けられる貫通孔、
前記貫通孔を覆う分岐継手、および
前記分岐継手に接続される分岐管を備える、管路。
【発明の詳細な説明】
【技術分野】
【０００１】
この発明は、二重管継手および管路に関し、特にたとえば、ケーブル保護管などとして用いられる二重管を形成するための、二重管継手および管路に関する。
【背景技術】
【０００２】
従来のケーブル保護管の一例が、特許文献１および特許文献２に開示されている。
【０００３】
特許文献１のケーブル保護管継手では、外管内に複数の内管が間隔を隔てて挿入され、外管と内管との間の空間に内管固定材が充填される。そして、このケーブル保護管継手に複数の単管または外管内に複数の内管が挿入されたケーブル保護管が接続されている。
【０００４】
また、特許文献２のケーブル保護管は、管周壁内が仕切壁により仕切られて、管周壁内に多管路が形成された多孔管である。
【特許文献１】特開２０００−５０４７７号公報［Ｈ０２Ｇ  ９／０６、Ｈ０２Ｇ  １／０６］
【特許文献２】特許番号第２５８３６３３号公報［Ｈ０２Ｇ  ３／０４、Ｈ０２Ｇ  ９／０６］
【発明の開示】
【発明が解決しようとする課題】
【０００５】
特許文献１の従来技術では、内管固定材が妨げとなって、外管と内管との間のスペースにケーブルを通すことができない。
【０００６】
また、特許文献２の従来技術では、たとえば右側の管路に挿通されるケーブルを管路の左側から引き出す場合、左側の管周壁を穿孔しても、仕切壁が妨げとなり、ケーブルを左側に変えることができないため、ケーブルを管路から引き出すことができない。
【０００７】
それゆえに、この発明の主たる目的は、管内のスペースを有効活用し、かつケーブルの分岐方向が制限されない二重管を形成することができる、二重管継手および管路を提供することである。
【課題を解決するための手段】
【０００８】
請求項１の発明は、両端が受口で形成された外管継手、外管継手より径小でかつ両端が受口で形成され、外管継手内に配置された内管継手、および外管継手と内管継手との間にスペースが形成されるように、内管継手を支える支持部を備える、二重管継手である。
【０００９】
請求項１の発明では、二重管継手（１０：実施例において相当する部分を例示する参照符号。以下同じ。）は外管継手（１２、７２）およびその中に配置された内管継手（１４、７４）を備え、これらの両端はともに受口（２２、３０、７６）で形成される。また、内管継手は、外管継手との間にスペース（３２、６８）を有するように、外管継手より径小に形成されて、支持部（１６、５４、７０）で支えられる。
【００１０】
このような管継手の長さは管の長さより一般的に短いことにより、二重管に比べて二重管継手の形成は容易である。また、外管継手に外管を連結し、内管継手に内管を連結するだけで、二重管が容易に形成される。このため、二重管継手を用いると、二重管の生産コストの低減化が図れる。
【００１１】
また、内管継手と外管継手との間にスペースを有するため、二重管継手に接続される二重管においても内管と外管との間にスペースが形成され、このスペースは二重管継手のスペースと連続する。よって、内管および内管継手の中のスペースだけでなく、これらのスペースにもケーブルなどを通すことができ、管内のスペースの有効活用が図られる。
【００１２】
さらに、内管および内管継手内に第１ケーブルを通し、内管と外管との間および内管継手と外管継手との間に第２ケーブルを通せば、外管の中において２種類のケーブルを分けて配線できる。しかも、内管と外管との間および内管継手と外管継手との間のスペースで第２ケーブルはその位置を周方向に変えることができるため、外管に貫通孔を設ければ、ケーブルが配線されている位置に係らずどの第２ケーブルでも貫通孔から取り出すことができる。
【００１３】
請求項２の発明は、スペースを、外管継手の中心の高さ以上で外管継手の頂点部を挟むスペースを含むように周方向に連続させた、請求項１記載の二重管継手である。
【００１４】
請求項２の発明では、内管継手と外管継手との間のスペースを周方向に連続させ、かつこのスペースに外管継手の中心の高さ以上で外管継手の頂点部を挟むスペースを含めると、内管継手と外管継手との間に弧状のスペースが形成され、この弧状のスペースの中心角は１８０°以上となり、弧状のスペースの両端は外管の中心を通る水平線と同じまたはそれより高くなる。このため、たとえば右側に配線されるケーブルを弧状のスペースで周方向に移動させて左側に寄せることにより、外管の左側に穿孔した貫通孔から右側のケーブルを引き出すことができる。
【００１５】
請求項３の発明は、請求項１または２の二重管継手、外管継手の受口に接続される外管、内管継手の受口に接続される内管、外管の管壁に設けられる貫通孔、貫通孔を覆う分岐継手、および分岐継手に接続される分岐管を備える、管路である。  
【００１６】
請求項３の発明では、請求項１または２の二重管継手の外管継手の受口に外管が接続され、その内管継手の受口に内管が接続されることにより、二重管が形成される。そして、二重管の外管の管壁に貫通孔（４２）が設けられ、貫通孔が分岐継手（４４）で覆われて、この分岐継手に分岐管（５２）が接続されると、外管が分岐された管路（３５）が形成される。  
【００１７】
このような管路において、２種類のケーブルを分けて配線できる。
【００１８】
また、内管と外管との間のスペースおよび内管継手と外管継手との間のスペースで第２ケーブルの位置を周方向に変えることができるため、ケーブルの配線位置に係らず第２ケーブルを貫通孔から取り出して、分岐管に分岐することができる。
【発明の効果】
【００１９】
この発明によれば、外管継手と内管継手との間にスペースを設けることにより、管内のスペースを有効活用し、かつケーブルの分岐方向が制限されない二重管を形成することができる。
【００２０】
この発明の上述の目的，その他の目的，特徴および利点は、図面を参照して行う以下の実施例の詳細な説明から一層明らかとなろう。
【発明を実施するための最良の形態】
【００２１】
図１に示すこの発明の一実施例である二重管継手１０は、ケーブル保護管などとして用いられる二重管を形成するための管継手であって、外管継手１２、その中に配置される内管継手１４、およびこれらを接続する支持部１６を備える。
【００２２】
図１〜４に示すように、外管継手１２は、二重管１８の外管２０を連結する接合部分であって、塩化ビニル樹脂など合成樹脂で形成される。外管継手１２は直管状であって、その両端はそれぞれゴム輪受口２２などの受口で形成される。ゴム輪受口２２ではその開口側の先端付近の内周面にゴム輪溝２４が形成され、ゴム輪溝２４にゴム輪２６が装着される。これにより、外管継手１２と外管２０とは水密状態でゴム輪接合される。
【００２３】
内管継手１４は、二重管１８の内管２８を連結する接合部分であって、塩化ビニル樹脂など合成樹脂で形成される。内管継手１４は直管状であって、その両端はそれぞれ接着受口３０などの受口で形成される。
【００２４】
この接着受口３０の軸方向の長さは、ゴム輪溝２４の軸方向の長さより長く設定される。これにより、２つの二重管継手１０の間に接続される二重管１８において、内管２８の長さは外管２０の長さより長く設定され、内管２８の端部が外管２０の端から突出するため、内管２８の端部を内管継手１４の受口に挿入しやすくなる。
【００２５】
内管継手１４の軸方向の長さは外管継手１２の軸方向の長さより長く設定され、内管継手１４の両端はそれぞれ外管継手１２の両端から突出する。このため、外管継手１２と外管２０とを接続する前に内管継手１４と内管２８とを接続すればその状況を確認しながら、内管継手１４と内管２８とを容易かつ確実に接続することができる。
【００２６】
内管継手１４は外管継手１２内に収容されており、内管継手１４の外径は外管継手１２の内径より小さく設定され、内管継手１４の外面と外管継手１２の内面との間にスペース３２が形成される。
【００２７】
支持部１６は、内管継手１４と外管継手１２との間にスペース３２が形成されるように、外管継手１２内で内管継手１４を支持する部分であって、内管継手１４と外管継手１２との間で外管継手１２の上部に配置され、板状体１６ａおよびそれを覆う樹脂層１６ｂを含む。板状体１６ａは、外管継手１２および内管継手１４のそれぞれと溶接や接着などで接合されることにより、外管継手１２の頂点１２ａと内管継手１４の頂点１４ａとを繋ぐ部分であって、塩化ビニル樹脂などの合成樹脂で形成される。そして、樹脂層１６ｂは、板状体１６ａを覆うことにより、これらの接合を補強する部分であって、ＦＲＰ（Fiber Reinforced Plastics）など強度の高い樹脂で形成される。
【００２８】
また、支持部１６の軸方向の長さは、長いほど内管継手１４および外管継手１２に対する支持部１６の接合強度が高くなるが、長すぎると外管継手１２の受口に挿入される外管２０に当たるため、その外管２０の端までに設定される。
【００２９】
支持部１６の径方向の幅は、特に限定されないが、小さいほど内管継手１４および外管継手１２に対する支持部１６の接合強度が小さくなるが、大きいほどこれらを接合しにくくなる上、スペース３２の周方向の大きさが小さくなり、スペース３２に収容されるケーブルなどの数が減ったり、スペース３２内でケーブルの位置を周方向に変えにくくなったりしてしまう。このため、支持部１６の幅は、支持部１６の両端のそれぞれが外管継手１２の中心１２ｂを通る水平線３４より上側になるように設定される。
【００３０】
支持部１６の径方向の長さは、内管継手１４が外管継手１２の中央に配置され、これらの中心１２ｂ、１４ｂが一致するように設定される。これにより、外管継手１２の内面と内管継手１４の外面との間の環状のスペースが支持部１６により分断され、これらの間に弧状のスペース３２が設けられる。
【００３１】
弧状のスペース３２は、外管継手１２の中心１２ｂの高さ以上で外管継手１２の頂点１２ａを挟むスペースを含むように周方向に連続する。すなわち、弧状のスペース３２は、外管継手１２の下側に形成され、その中心角は１８０°以上となり、弧状のスペース３２の両端は外管２０の中心１２ｂを通る水平線３４と同じまたはそれより高くなる。
【００３２】
そして、このような二重管継手１０を用いて二重管１８を含む管路３５を形成する場合、図３および４に示すように、二重管継手１０の他に外管２０および内管２８を用意する。外管２０には、塩化ビニル樹脂などの合成樹脂で形成され、その端部が外管継手１２のゴム輪受口２２に接続される大きさの直管が用いられる。内管２８には、塩化ビニル樹脂などの合成樹脂で形成され、その端部が内管継手１４の接着受口３０に接続される大きさの直管が用いられる。また、内管２８および外管２０の軸方向の長さは、それらを切断することにより施工現場に合わせて適宜設定されるが、内管２８の軸方向の長さは外管２０の軸方向の長さより長く、その差は接着受口３０の長さとゴム輪受口２２の長さとの差の２倍に相当する。このため、外管２０の中に内管２８を挿入すると、外管２０の端から内管２８の端部が突出する。
【００３３】
まず、外管２０の中に内管２８を挿入して、内管２８の一方端部を外管２０の端から引き出し、この突出した内管２８の一方端部を差口として接着受口３０に挿入し、内管２８を内管継手１４に接着接合する。次に、外管２０の一方端部を差口としてゴム輪受口２２に挿入し、外管２０を外管継手１２にゴム輪接合する。この状態で外管２０の他方端から内管２８の他方端部が突出しているため、目視で確認しながら内管２８の他方端部を別の二重管継手１０の接着受口３０に挿入し、内管２８を内管継手１４に接着接合する。続いて、外管２０の他方端部をゴム輪受口２２に挿入し、外管２０を外管継手１２にゴム輪接合する。これにより、２つの二重管継手１０の間に二重管１８が形成される。この二重管１８において内管２８と外管２０との間に環状のスペース３６が設けられ、環状のスペース３６は弧状のスペース３２と連続する。そして、これを繰り返せば、施工現場に適応した長さに二重管１８が二重管継手１０で連結されて、管路３５が形成される。
【００３４】
このように、外管継手１２に外管２０を接続し、内管継手１４に内管２８を接続するだけで二重管１８を簡単に形成できる。また、このような二重管継手１０の長さは一般的な管の長さより短いことにより、二重管１８の形成に比べて二重管継手１０の形成は容易である。このため、二重管継手１０を用いると、二重管１８の生産コストの低減化が図れる。
【００３５】
また、外管継手１２および内管継手１４のそれぞれの両端部を受口２２、３０で形成することにより、外管２０および内管２８の長さを調整するためにこれらを切断しても、切断されて新たに形成された端部を差口として外管継手１２および内管継手１４にそれぞれ接続できるため、施工性に優れる。
【００３６】
さらに、内管継手１４の両端部を外管継手１２の両端からそれぞれ突出して形成すると、外管継手１２より先に内管継手１４の接合をすれば、確認しながら内管継手１４を接合でき、作業性に優れる。
【００３７】
この管路３５をケーブル保護管として用いる場合、図５および６に示すように、外管２０および内管２８を二重管継手１０に順次接続して二重管１８を形成しながら、これを電線共同溝に敷設する。
【００３８】
次に、各ハンドホール（図示せず）の間の二重管１８の位置で分岐しない幹線ケーブルなど第１ケーブル３８を内管２８および内管継手１４の中に通す。一方、二重管１８の位置で分岐されて需要家の建物に配線される配線ケーブルなど第２ケーブル４０を環状のスペース３６、および弧状のスペース３２に通す。このとき、第２ケーブル４０は自重により外管継手１２の下部を通るが、支持部１６は外管継手１２の下部に設けられないため、第２ケーブル４０は支持部１６に引っかからない。よって、第２ケーブル４０を外管継手１２内に引き込む際、第２ケーブル４０が傷付いたりすることなく、また第２ケーブル４０と二重管１８および二重管継手１０との摩擦が低減される。
【００３９】
また、第２ケーブル４０を分岐するとき、まず需要家の建物の近くの適切な箇所で外管２０の管壁を穿孔して、図７および８に示す貫通孔４２を外管２０に設ける。貫通孔４２は、弧状のスペース３２を外管継手１２の外部に連通させる連通部として用いられる。この貫通孔４２の位置は、貫通孔４２の中心が外管２０の中心を通る水平線から上へ、たとえば中心角γ：４５度の位置と同じ、またはそれより下方になるように設定される。
【００４０】
この貫通孔４２を覆うように分岐継手４４を外管２０の外面に取り付ける。この分岐継手４４は、短管部４６およびサドル部４８を含み、短管部４６は短円筒形であり、その先端部に分岐管５２が接続される。サドル部４８は、外管継手１２の外面に沿うように湾曲し、貫通孔４２を完全に覆う大きさで、短管部４６に一体的に形成される。そして、分岐継手４４を取り付ける際、サドル部４８が貫通孔４２を完全に覆って、外管継手１２の外面に水密性を確保した状態で、サドル部４８をステンレス製のバンド５０などによって外管継手１２に締め付けて固定する。これにより、外管２０が分岐継手４４を介して分岐管５２に分岐された管路３５が形成される。
【００４１】
次に、内管２８の中に第１ケーブル３８を挿入し、環状のスペース３６に第２ケーブル４０を挿入する。この第２ケーブル４０を貫通孔４２から引き出し、分岐継手４４を介して分岐管５２に通す。このとき、たとえば外管継手１２の左側に配線される第２ケーブル４０を外管継手１２の右側に穿孔された貫通孔４２から引き出す場合、弧状のスペース３２および環状のスペース３６で第２ケーブル４０を周方向に移動させて、貫通孔４２から引き出す。
【００４２】
このように、外管２０の中のスペースを内管２８の中のスペースおよび環状のスペース３６に区分し、内管２８の中のスペースを内管継手１４の中のスペースで軸方向に連通させ、環状のスペース３６を弧状のスペース３２で軸方向に連通させることにより、１本の外管２０の中で２種類のケーブル３８、４０を分けて各スペースに通すことができる。よって、外管２０の中のスペースの全体を利用できるため、ケーブル保護管を埋設するスペースを小さくでき、このケーブル保護管を狭小地などにも敷設できる。
【００４３】
そして、分岐しない第１ケーブル３８を内管２８および内管継手１４の中に通し、分岐する第２ケーブル４０を環状のスペース３６および弧状のスペース３２に通せば、二重管１８に通されたケーブル３８、４０の中から分岐する第２ケーブル４０を容易に選別することもできる。
【００４４】
また、弧状のスペース３２および環状のスペース３６で第２ケーブル４０の位置を周方向に自由に変えられる上、環状のスペース３６を有する二重管１８ではどの位置に貫通孔４２を設けることができる。このため、配線位置に関係なく第２ケーブル４０の分岐方向を任意に設定でき、施工性に優れる。
【００４５】
なお、図１実施例では支持部１６を板状体１６ａとそれを覆う樹脂層１６ｂで形成したが、支持部１６を板状体１６ａだけで形成することもできる。
【００４６】
図９に示すこの発明の他の実施例である二重管継手１０は、図１実施例の二重管継手１０とほぼ同様のものであるが、これらの支持部の形状が異なる。これ以外の部分に関しては図１実施例の示す二重管継手１０と同様であるため、説明は省略する。
【００４７】
図９〜１１に示すように、支持部５４は、外管継手１２の中において内管継手１４を支持するものであって、固定部分５６、保持部分５８およびこれらを接合する接合部分６０を備え、これらは金属や合成樹脂などにより一体的に形成される。
【００４８】
固定部分５６は、断面が円弧状で、接合部分６０との接合位置の向かい側に切り欠き６２が形成される。この切り欠き６２の中心角αは４５度以上で１８０度以下に設定される。また、固定部分５６の外径が外管継手１２の内径より少し大きく設定される。これにより、固定部分５６を縮径して外管継手１２内に挿入すると、固定部分５６はその両端部が板ばねとして弾性力により外管継手１２の内面に押し付けられて、固定部分５６の外面は外管継手１２の内面に張り付き、支持部５４は外管継手１２に固定される。そして、固定部分５６を外管継手１２の上部に装着すると、外管継手１２の上部の内面は固定部分５６で覆われ、外管継手１２の下部の内面は切り欠き６２により露出する。また、固定部分５６の軸方向の長さは外管継手１２の内部に挿入される外管２０の端の位置より内側になるように設定される。
【００４９】
保持部分５８は、断面が円形状に形成され、その内径は内管継手１４の外径と等しい、またはそれより大きく設定される。そして、保持部分５８は、その中に内管継手１４を挿通することにより、外管継手１２の中で内管継手１４を支持し保持するものとして用いられる。
【００５０】
接合部分６０は、板状に形成され、固定部分５６の頂点と保持部分５８の頂点とを繋ぐ。接合部分６０の径方向の長さは、外管継手１２の半径から保持部分５８の半径を引いた長さに設定される。これにより、保持部分５８に支持される内管継手１４は外管継手１２の中央に配置されて、外管継手１２の内面と内管継手１４の外面との間に周方向に連続する弧状のスペース３２が設けられる。そして、接合部分６０は外管継手１２の頂点１２ａと外管継手１２の中心１２ｂとを結ぶ方向に延び、接合部分６０の幅は、スペース３２の両端のそれぞれが外管継手１２の中心１２ｂを通る水平線３４より上側になるように設定される。弧状のスペース３２は、外管継手１２の下側に形成され、外管継手１２の中心１２ｂの高さ以上で外管継手１２の頂点１２ａを挟むスペースを含む。
【００５１】
このような二重管継手１０を用いても、図１実施例の二重管継手１０と同様に二重管１８を形成でき、またこの二重管１８を含む管路３５はケーブル保護管として利用され得る。そして、その作用および効果などは図１実施例の二重管継手１０と同様であるため、説明は省略する。
【００５２】
なお、図９実施例では保持部分５８の断面を円形状に形成したが、図１２に示すように、保持部分６４の断面を円弧状に形成することもできる。この場合、接合部分６０との接合位置と向かい合う保持部分６４の位置に切り欠きが形成される。
【００５３】
また、図９および１２実施例では保持部分５８を固定部分５６および接合部分６０により支持したが、図１３に示すように、複数、この実施例では３つの脚部６６により保持部分５８を支持することができる。脚部６６は板状体であって、その径方向の長さは外管継手１２の半径から保持部分５８の半径を引いた長さに設定される。これにより、保持部分５８に支持される内管継手１４は外管継手１２の中央に配置されて、外管継手１２の内面と内管継手１４の外面との間に、周方向に連続する３つの弧状のスペース６８：６８ａ、６８ｂ、６８ｃが設けられる。
【００５４】
この場合でも、外管継手１２の中心１２ｂの高さ以上で外管継手１２の頂点１２ａを含む弧状のスペース６８ａ、６８ｂは、脚部６６のない部分で周方向に連続していることから、この弧状のスペース６８ａ、６８ｂに通されたケーブルを任意の方向に分岐することができる。
【００５５】
さらに、図９、１２および１３実施例では保持部分５８を弾性力により外管継手１２内に固定したが、固定部分５６の外面に接着剤を塗布して、保持部分５８を外管継手１２内に接着することもできる。
【００５６】
なお、上記全ての実施例では内管継手１４を外管継手１２の中央に配置したが、図１４に示すように、支持部１６および接合部分６０の径方向の長さを短くすることにより内管継手１４を外管継手１２の上部に配置することもできる。この場合、内管継手１４および内管２８の下方のスペース３２、３６が大きくなるため、第２ケーブル４０の収容数が多くても、第２ケーブル４０の方向を容易に変更することができる。反対に、支持部１６および接合部分６０の径方向の長さを長くすることにより内管継手１４を外管継手１２の下部に配置することもできる。
【００５７】
また、上記全ての実施例では支持部１６および接合部分６０を板状に形成したが、図１５に示すように、支持部７０の周方向の幅を広く設定することもできる。この場合でも、弧状のスペース３２は、外管継手１２の下側で周方向に連続し、外管継手１２の中心１２ｂの高さ以上で外管継手１２の頂点１２ａを挟むスペースを含む。
【００５８】
さらに、上記全ての実施例では外管継手１２の中に１本の内管継手１４を配置したが、図１６に示すように複数の内管継手１４を配置することができる。たとえば３本の内管継手１４を束ねて接続し、この内の１本の内管継手１４を支持部１６、５４、７０で接合する。この外管継手１２に外管２０を接続し、複数の内管継手１４のそれぞれに内管２８を接続すれば、ケーブルを複数に分けて配線することができる。
【００５９】
また、上記全ての実施例では内管継手１４および外管継手１２に直管を用いたが、図１７に示すように、この直管に代えて曲管を用いることもできる。ただし、この場合でも外管継手７２および内外管継手７４の受口２２、３０はそれぞれ直線状に設けられる。このため、外管継手７２に直管の外管２０を接続し、内管継手７４に直管の内管２８を接続するだけで、二重管１８を二重管継手１０の部分で曲げて配置することができる。
【００６０】
そして、上記全ての実施例では外管継手１２、７２の両端のそれぞれをゴム輪受口２２で形成したが、これに限定されず、図１８に示すように、外管継手１２の両端のそれぞれを接着受口７６で形成することもできる。
【００６１】
また、上記全ての実施例では内管継手１４、７４の両端のそれぞれを接着受口３０で形成したが、これに限定されず、内管継手１４、７４の両端のそれぞれを拡径受口で形成し、この拡径受口に内管２８を接着せずに挿入するだけでもよい。
【００６２】
さらに、上記全ての実施例では内管継手１４、７４の軸方向の長さを外管継手１２、７２の軸方向の長さに比べて長くしたが、これらの長さは限定されず、図１９に示すように内管継手１４、７４の軸方向の長さを外管継手１２、７２の軸方向の長さと等しく設定したり、図２０に示すように内管継手１４、７４の軸方向の長さを外管継手１２、７２の軸方向の長さに比べて短く設定したりすることができる。これらの場合、内管継手１４、７４の端部が外管継手１２、７２の端から突出しないため、二重管継手１０の搬送などの際に内管継手１４、７４が衝撃を受けて破損したりしにくくなる。
【００６３】
また、上記全ての実施例では、外管継手１２の上部に支持部１６、７０および接合部６０を配置したが、管路３５をケーブル保護管などに用いない場合、支持部１６、７０および接合部６０の配置はこれに限定されず、たとえば外管継手１２の下部に支持部１６、７０および接合部６０を配置することもできる。
【００６４】
さらに、上で挙げた角度や寸法の具体的数値はいずれも単なる一例であり、必要に応じて適宜変更可能である。
【図面の簡単な説明】
【００６５】
【図１】この発明の一実施例の二重管継手を示す断面図である。
【図２】図１の二重管継手を示す平面図である。
【図３】図１の二重管継手およびこれに接続される二重管を示す断面図である。
【図４】図３の二重管継手に二重管を接続した状態を示す断面図である。
【図５】図４の二重管継手およびこれにより連結された二重管にケーブルを通した状態を示す断面図である。
【図６】図５の二重管継手を示す断面図である。
【図７】図５の二重管に設けた貫通孔から第２ケーブルを引き出した状態を示す断面図である。
【図８】図７の二重管を示す断面図である。
【図９】この発明の別の実施例の二重管継手を示す断面図である。
【図１０】図９の二重管継手に用いられる支持部を示す断面図である。
【図１１】図９の二重管継手を示す断面図である。
【図１２】この発明のさらに別の実施例の二重管継手を示す断面図である。
【図１３】この発明のさらに別の実施例の二重管継手を示す断面図である。
【図１４】この発明のさらに別の実施例の二重管継手を示す断面図である。
【図１５】この発明のさらに別の実施例の二重管継手を示す断面図である。
【図１６】この発明のさらに別の実施例の二重管継手を示す断面図である。
【図１７】この発明のさらに別の実施例の二重管継手を示す断面図である。
【図１８】この発明のさらに別の実施例の二重管継手を示す断面図である。
【図１９】この発明のさらに別の実施例の二重管継手を示す断面図である。
【図２０】この発明のさらに別の実施例の二重管継手を示す断面図である。
【符号の説明】
【００６６】
１０…二重管継手
１２、７２…外管継手
１４、７４…内管継手
１６、５４、７０…支持部
２２…ゴム輪受口
３０…接着受口
３２、６８…弧状のスペース
３５…管路
４２…貫通孔
４４…分岐継手
５２…分岐管
７６…接着受口
【図１】
2008182777.tif 000003
【図２】
2008182777.tif 000004
【図３】
2008182777.tif 000005
【図４】
2008182777.tif 000006
【図５】
2008182777.tif 000007
【図６】
2008182777.tif 000008
【図７】
2008182777.tif 000009
【図８】
2008182777.tif 000010
【図９】
2008182777.tif 000011
【図１０】
2008182777.tif 000012
【図１１】
2008182777.tif 000013
【図１２】
2008182777.tif 000014
【図１３】
2008182777.tif 000015
【図１４】
2008182777.tif 000016
【図１５】
2008182777.tif 000017
【図１６】
2008182777.tif 000018
【図１７】
2008182777.tif 000019
【図１８】
2008182777.tif 000020
【図１９】
2008182777.tif 000021
【図２０】
2008182777.tif 000022